(57)【特許請求の範囲】
【請求項１】
プロファイル部材の支柱（１）と、当該プロファイル部材の支柱（１）の開口部（２）に取付けられる差し込み式のナット（３）とを備え、前記差し込み式のナット（３）が、留め金（４）に保持された、ねじ穴を有するナット（５）を有する締結用装置において、
前記留め金（４）が第１の作動端部（６）および第２の作動端部（７）を有し、当該第１の作動端部（６）および当該第２の作動端部（７）を用いて、前記差し込み式のナット（３）が前記開口部（２）から外に突出し、
お互いに対する前記第１の作動端部（６）および前記第２の作動端部（７）のロック位置において、前記開口部（２）の縁部（２．１）が前記留め金（４）のレセプタクル（８）に受け入れられ、
前記第１の作動端部（６）および前記第２の作動端部（７）が、前記開口部（２）を有する前記プロファイル部材の支柱（１）のプロファイル部材側面部（１３）の前方に重なり合って配置され、
前記第１の作動端部（６）および前記第２の作動端部（７）が、整列した工具用開口部（１４）を有することを特徴とする締結用装置。
【請求項２】
前記レセプタクル（８）が実質的にＵ字状であり、
前記レセプタクル（８）が前記第１の作動端部（６）または前記第２の作動端部（７）に形成されることを特徴とする請求項１に記載の締結用装置。
【請求項３】
前記レセプタクル（８）が、前記第１の作動端部（６）または前記第２の作動端部（７）と、前記ねじ穴を有するナット（５）との間に配置されることを特徴とする請求項１または２に記載の締結用装置。
【請求項４】
前記留め金（４）が成形された板金部品であり、
前記レセプタクル（８）がＵ字状の板金の折り畳み縁部であることを特徴とする請求項１〜３のいずれか１項に記載の締結用装置。
【請求項５】
前記レセプタクル（８）が、お互いから間隔を空けた複数の境界壁（９）を有し、
前記境界壁（９）の第１の境界壁が、前記ロック位置において、前記開口部（２）の前記縁部（２．１）の内側面の前方に配置され、
前記境界壁（９）の第２の境界壁が、前記ロック位置において、前記内側面の反対側の、前記開口部（２）の前記縁部（２．１）の外側面の前方に配置されることを特徴とする請求項１〜４のいずれか１項に記載の締結用装置。
【請求項６】
前記第１の作動端部（６）および前記第２の作動端部（７）の少なくとも１つが、前記差し込み式のナット（３）が前記開口部（２）に取付けられた状態で当該開口部（２）に位置する部分において、前記レセプタクル（８）に収容される前記縁部（２．１）の長手方向における寸法を有し、かつ、前記縁部（２．１）の前記長手方向における長さに実質的に一致していることを特徴とする請求項１〜５のいずれか１項に記載の締結用装置。
【請求項７】
前記第１の作動端部（６）および前記第２の作動端部（７）が前記ロック位置と比較してお互いに対して移動している、お互いに対する前記第１の作動端部（６）および前記第２の作動端部（７）の解除位置において、前記開口部（２）の前記縁部（２．１）が、前記留め金（４）の前記レセプタクル（８）との係合から外れていることを特徴とする請求項１〜６のいずれか１項に記載の締結用装置。
【請求項８】
前記整列した工具用開口部（１４）が工具挿入用開口部（１５）を形成し、
前記工具挿入用開口部（１５）が、前記工具用開口部（１４）の第１の工具用開口部の第１の境界縁部（１６）により境界を定められ、かつ、前記工具用開口部（１４）の第２の工具用開口部の第２の境界縁部（１７）により対向する境界を定められていることを特徴とする請求項１に記載の締結用装置。
【請求項９】
少なくとも１つの前記整列した工具用開口部（１４）が、前記第１の作動端部（６）および前記第２の作動端部（７）の前記ロック位置と解除位置との間の調整方向に延びている第３の境界縁部（１８）で、ラックアンドピニオン駆動部の歯部を有していることを特徴とする請求項８に記載の締結用装置。
【請求項１０】
前記第３の境界縁部（１８）に対向する第４の境界縁部（１９）が、前記第３の境界縁部（１８）から距離を置いて配置され、歯付きドライバー（２０）用のカウンタ軸受部、特に複数の円形ドライバーを有するスクリュードライバー用のカウンタ軸受部を形成することを特徴とする請求項９に記載の締結用装置。
【請求項１１】
前記少なくとも１つの整列した工具用開口部（１４）の他の工具用開口部（１４）が、円形に形成され、かつ、歯付きドライバー（２０）の外径、特にスクリュードライバーの複数の円形ドライバーの外径に実質的に一致する内径を有することを特徴とする請求項９または１０に記載の締結用装置。
【請求項１２】
上部（２１）および下部（２２）を備え、当該上部（２１）および下部（２２）が、接続部を用いて距離を置いてお互いに接続され、
前記第１の作動端部（６）が前記上部（２１）の自由端を形成し、前記第２の作動端部（７）が前記下部（２２）の自由端を形成し、
前記上部（２１）および前記下部（２２）の少なくとも一方が、その外側に突出している接触爪（２４）を有することを特徴とする請求項１〜１１のいずれか１項に記載の締結用装置。
【請求項１３】
請求項１〜１２のいずれか１項に記載の締結用装置を備えたスイッチキャビネットの筐体において、
前記プロファイル部材の支柱（１）が、前記スイッチキャビネットの筐体のフレームの前記プロファイル部材の支柱（１）であるか、または、前記スイッチキャビネットの筐体の内部設置用の内部部品（２６）、特に取付シャーシであるかのいずれかであることを特徴とするスイッチキャビネットの筐体。
【発明の詳細な説明】
【技術分野】
【０００１】
本発明は、プロファイル部材の支柱と、当該プロファイル部材の支柱の開口部に取付けられる差し込み式のナットと、を備える締結用装置に関し、当該差し込み式のナットが、留め金に保持された、ねじ穴を有するナットを有している。このような締結用装置は、ドイツ特許第１９９  ３７  ８９２号明細書から周知である。同様の締結用装置は、ドイツ特許出願公開第１９８  ６０  ４３４号明細書にも記載されている。
【先行技術文献】
【特許文献】
【０００２】
【特許文献１】ドイツ特許第１９９  ３７  ８９２号明細書
【特許文献２】ドイツ特許出願公開第１９８  ６０  ４３４号明細書
【発明の概要】
【発明が解決しようとする課題】
【０００３】
最先端の締結用装置では、特に、差し込み式のナットのねじ穴を有するナットにボルトが螺入されるときに、プロファイル部材の支柱の開口部において当該差し込み式のナットがねじられてしまい、当該ボルトをこの差し込み式のナットに螺入できない虞、または、当該ボルトがこの差し込み式のナットのねじ穴を有するナットに詰まってしまう虞がある、という欠点を有している。
【０００４】
したがって本発明の目的は、差し込み式のナットがプロファイル部材の支柱の開口部にしっかりと着座され、当該開口部における当該差し込み式のナットの偶発的なねじれを防止するように、上述のタイプの締結用装置をさらに改良することである。
【課題を解決するための手段】
【０００５】
この目的は、請求項１の特徴を有する締結用装置により解決される。請求項１５は対応するスイッチキャビネットの筐体に関係している。有利な実施形態が従属請求項の主題である。
【０００６】
したがって、留め金が第１および第２の作動端部を有し、当該第１および第２の作動端部を用いて差し込み式のナットが開口部から外に突出し、お互いに対するこれらの作動端部のロック位置において、当該開口部の縁部が留め金のレセプタクルに受け入れられるような、上述のタイプの締結用装置が提供される。留め金のレセプタクルと係合している開口部の縁部を用いて、プロファイル部材の支柱に差し込み式のナットを連結することにより、この差し込み式のナットの偶発的なねじれが効果的に防止される。このレセプタクルが実質的にＵ字状であってもよく、第１または第２の作動端部に形成されてもよい。
【０００７】
レセプタクルが、第１または第２の作動端部とねじ穴を有するナットとの間に配置されてもよい。
【０００８】
さらに、留め金が成形された板金部品であってもよく、レセプタクルがＵ字状の板金の折り畳み縁部であってもよい。差し込み式のナットが、ねじ穴を有するナットを除いて、打ち抜きおよび縁取りにより得られる成形された板金部品であってもよい。
【０００９】
レセプタクルがお互いから間隔を空けた複数の境界壁を有してもよく、当該境界壁の第１の境界壁が、ロック位置において開口部の縁部の内側面の前方に配置され、当該境界壁の第２の境界壁が、ロック位置において、当該内側面の反対側の、開口部の縁部の外側面の前方に配置される。したがって、このレセプタクルのこれらの境界壁間に当該開口部を入れて、この開口部における差し込み式のナットの偶発的なねじれを効果的に防ぐことができる。
【００１０】
作動端部の少なくとも１つが、当該作動端部が開口部を貫通する際に使用する部分において、レセプタクルに収容される縁部の長手方向における寸法を有してもよく、当該寸法が、当該縁部の長手方向における長さに実質的に一致している。当該寸法により、差し込み式のナットがさらに開口部に着座されることにも貢献し、その結果として、偶発的なねじれから差し込み式のナットを保護している。これらの作動端部がロック位置と比較してお互いに対して移動している、お互いに対する当該作動端部の解除位置において、この開口部の縁部が、留め金のレセプタクルとの係合から外れていてもよい。特に、ロック位置から解除位置への作動端部の移動が手動で実行されてもよく、特に、差し込み式のナットが工具なしで作動されるかどうかによって、あるいは解放位置とロック位置との間の当該作動端部の移動を、工具を用いて実行するかどうかによって、当該作動端部を差し込み式のナットの作動のタイプに適応させることができる。
【００１１】
例えば作動端部がそれぞれ取っ手部を有し、それにより当該取っ手部同士が、プロファイル部材の支柱の外側面を用いて、お互いに距離を置いて開口部を通って突出しており、留め金の予め加えられた機械的な負荷に逆らって、ロック位置から解除位置にこの取っ手部を移動できる、ということが提供されてもよい。
【００１２】
特に留め金が成形された板金部品であってもよく、当該成形された板金部品が、ロック位置において緩和形態で配置され、差し込み式のナットの解除位置内への移動により、当該留め金が手動または工具で結合させて予め加えられた負荷（a manual or tool-bound preloading）を伴うことができるようにし、特に、この留め金が圧縮を伴うことができるようにしている。
【００１３】
作動端部が取っ手部を有する場合、当該取っ手部を圧縮することにより、すなわち、当該取っ手部同士を共に近づけることにより、これらの取っ手部に予め負荷を加えることで差し込み式のナットを解除位置に移動させ、開口部の縁部が留め金のレセプタクルから外されるようにしている、ということが特に提供されてもよい。
【００１４】
また作動端部同士が、開口部を有するプロファイル部材の支柱のプロファイル部材側面部の前方に重なり合って配置され、かつ当該作動端部同士が、整列した工具用開口部を有する、ということも提供されてもよい。
【００１５】
これらの整列した工具用開口部が工具挿入用開口部を形成してもよく、当該工具挿入用開口部が、当該工具用開口部の第１の工具用開口部の第１の境界縁部により境界を定められ、かつ、当該工具用開口部の第２の工具用開口部の第２の境界縁部により対向する境界を定められている。
【００１６】
少なくとも１つの整列した工具用開口部が、作動端部のロック位置と解除位置との間の調整方向に延びている第３の境界縁部で、ラックアンドピニオン駆動部の歯部を有してもよい。
【００１７】
第３の境界縁部に対向する第４の境界縁部が当該第３の境界縁部から距離を置いて配置されてもよく、歯付きドライバー用のカウンタ軸受部、特に「トルクス（登録商標）」としても周知の複数の円形ドライバー（multi-circular drive）を有するスクリュードライバー用のカウンタ軸受部を形成してもよい。
【００１８】
上述した少なくとも１つの整列した工具用開口部の他の工具用開口部が、円形に形成され、かつ、歯付きドライバーの外径、特にスクリュードライバーの複数の円形ドライバーの外径に実質的に一致する内径を有してもよい。
【００１９】
締結用装置が上部および下部を有し、当該上部および下部が、接続部を用いて距離を置いてお互いに接続され、作動端部の１つ目がこの上部の自由端を形成し、作動端部の２つ目がこの下部の自由端を形成し、特に差し込み式のナットをプロファイル部材の支柱と等電位化するために、当該上部および下部の少なくとも一方が、その外側に突出している接触爪を有していてもよい。
【００２０】
別の態様によれば、上述のタイプの締結用装置を備えたスイッチキャビネットの筐体が記載され、プロファイル部材の支柱が、当該スイッチキャビネットの筐体のフレームのプロファイル部材の支柱であるか、または当該スイッチキャビネットの筐体の内部設置用の内部部品、特に取付シャーシであるかのいずれかである。
【図面の簡単な説明】
【００２１】
本発明のさらなる詳細は以下の図面に記載され、これらの図面は以下のことを示す：
【図１】本発明による差し込み式のナットの３つの実施形態を示す図である。
【図２】図１に示される、本発明による差し込み式のナットの実施形態を使用している締結用装置を示す図である。
【図３】差し込み式のナットの実施形態を示す断面図である。
【図４】差し込み式のナットの他の実施形態を示す斜視図である。
【図５】本発明による差し込み式のナットのさらに他の実施形態を示す斜視図である。
【図６】本発明による差し込み式のナットのさらに他の実施形態を示す斜視図である。
【図７】本発明による他の締結用装置を示す図である。
【図８】図６に従った実施形態を示す、プロファイル部材の支柱の長手方向に垂直な断面図である。
【発明を実施するための形態】
【００２２】
図１は、本発明による差し込み式のナット３の３つの異なる実施形態を示しており、これらの差し込み式のナット３は、特に２つの作動端部６，７の設計が異なっている。示された全ての実施形態に共通することは、これらの差し込み式のナット３が、ねじ穴を有するナット５を除いて成形された板金部品として形成され、当該成形された板金部品が、打ち抜きおよび縁取りにより利用可能であることである。その結果として、図１に示される差し込み式のナット３は製造が低コストである。同様に、図１に示される実施形態の全てがレセプタクル８を示し、当該レセプタクル８は、本発明に不可欠であり、かつ、それぞれの差し込み式のナット３が挿入される開口部の縁部を収容することを目的としている。
【００２３】
図１において最も左に示される差し込み式のナット３が、当該差し込み式のナット３の手動作動用に設計された作動端部６，７を有している。図１の全ての差し込み式のナット３が当該差し込み式のナット３の緩和位置で示され、当該緩和位置において、これらの差し込み式のナット３の留め金４は予め負荷を加えられていない。この状態で、差し込み式のナット３がロック位置にある。図１の左側に示される実施形態の２つの作動端部６，７を圧縮することにより留め金４が予め負荷を加えられ、それに応じて差し込み式のナット３が、示されたロック位置から解除位置に移動し、当該解除位置では、レセプタクル８において持ち上げられたプロファイル部材の支柱の開口部の縁部が当該レセプタクル８から出現し、その結果、作動端部６，７を用いて差し込み式のナット３をこの開口部から取り外すことができる。
【００２４】
作動端部６，７をお互いに対して上述のように移動させ、示されたロック位置と解除位置との間で差し込み式のナット３を移動させるため、特に、この目的のために留め金４に予め負荷を加えるため、図１の中央に示される差し込み式のナット３の場合において、
作動端部６，７が重なり合って配置され、当該作動端部６，７が重なり合っている領域において工具挿入用開口部１５を形成し、当該工具挿入用開口部１５内に工具、ここではマイナスドライバー２７、を挿入できる、ということが提供されている。このマイナスドライバー２７を図１に示される調整位置から最大90°回転または旋回させることにより、作動端部６，７をお互いに対して移動させ、差し込み式のナット３の留め金４が予め負荷を加えられ、その結果、レセプタクル８に収容される可能性のある、あらゆる縁部を当該レセプタクル８から外すことができるようにしている、ということが容易に理解される。
【００２５】
上述の実施形態の変形例において、図１の右下に示される、本発明による差し込み式のナット３の第３の実施形態は、当該差し込み式のナット３の作動端部６，７でラックアンドピニオン駆動部を有しており、当該ラックアンドピニオン駆動部は、例えば市販のトルクスドライバーによって作動させて、これらの作動端部６，７に対してお互いに付勢することができる。上述の３つの実施形態が、以下により詳細に説明される。
【００２６】
図２は取付状態、すなわち、プロファイル部材の支柱１のそれぞれの開口部２を用いて差し込み式のナット３がプロファイル部材の支柱１内に挿入された状態の、本発明による差し込み式のナット３用の、図１から分かっている３つの設計を示しており、当該開口部２を有しているプロファイル部材の支柱１のプロファイル部材側面部１３に亘って、差し込み式のナット３が、当該差し込み式のナット３の作動端６，７でのみ突出している。プロファイル部材側面部１３に対して垂直に配置されたさらなるプロファイル部材側面部においてプロファイル部材の支柱１がさらなる開口部２８を有し、当該さらなる開口部２８のそれぞれを用いて、差し込み式のナット３のねじ穴を有するナット５が位置合わせされ、それにより、例えばスイッチキャビネットの筐体の内部設置用のスイッチギアの部品を取付けるために、プロファイル部材の支柱１で、そのねじ穴を有するナット５を利用できるようにしている。
【００２７】
図２は、作動端部６，７の上記で示されたロック位置において、それぞれの開口部２の縁部２．１が差し込み式のナット３のレセプタクル８に収容されることをさらに示しており、当該差し込み式のナット３が、挿入方向の移動および挿入方向の周りの移動の両方に対して固定され、したがって、当該差し込み式のナット３が当該開口部２に回転不能に収容されるようにしている。作動端部６，７に隣接している差し込み式のナット３の留め金４の領域１０において、この差し込み式のナット３が、縁部２．１の縦方向における寸法に正確に一致する寸法を有し、当該差し込み式のナット３の領域１０で達成される確実なロックにより、開口部２における当該差し込み式のナット３のさらなる固定を提供するようにしている。
【００２８】
図３は、差し込み式のナット３の実施形態を示す断面図である。示される断面図は、特に、レセプタクル８の可能な幾何学的設計を示している。それに応じてレセプタクル８は、基本的にＵ字状であり、特に板金の折り畳み部として設計されてもよい。示されるように、レセプタクル８の対向する境界壁９同士がお互いに対して鋭角に延び、当該境界壁９同士が接続されてレセプタクル８を形成する折り畳み縁部が、180°を超える（連続的な）折り畳み縁部であるようにしている。
【００２９】
ねじ穴を有するナット５を除く差し込み式のナット３が、特に、成形された板金部品として形成されてもよく、それに応じて、レセプタクル８も板金の折り畳み部であってもよい。また、この差し込み式のナット３が上部２１と下部２２を備えた留め金４を有し、当該上部２１と下部２２が接続部２３を用いてお互いに接続されている。この接続部２３と上部２１との間の移行領域において接触爪２４が配置され、当該接触爪２４は、差し込み式のナット３とプロファイル部材の支柱との間の等電位化に役立っている。さらなる接触爪が下部２４の外側面に配置されている。作動端部６，７がそれぞれ取っ手部１１を有し、当該取っ手部１１により、２本の指を使って差し込み式のナット３の留め金４を圧縮することができ、したがって、当該留め金４に予め負荷を加えることができ、場合によっては、レセプタクル８に収容されたプロファイル部材の支柱の開口部の縁部が当該レセプタクル８から出現でき、その結果、このレセプタクル８から外されることができるようにしている。
【００３０】
図４は実施形態を詳細に示しており、当該実施形態において、作動端部６、７が重なり合い、かつ、開口部を有するプロファイル部材の支柱のプロファイル部材側面部の前方に配置されると共に、整列した工具用開口部を有している。これらの整列した工具用開口部１４が工具挿入用開口部１５を形成し、当該工具挿入用開口部１５が、当該工具用開口部１４の第１の工具用開口部の第１の境界縁部１６により境界を定められ、かつ、当該工具用開口部１４の第２の工具用開口部の第２の境界縁部１７により対向する境界を定められている。特に、この工具挿入用開口部１５を使用して、図１および図２に示されるようにマイナスドライバーを受け入れることができる。
【００３１】
図４に示される実施形態の変形例において図５に示される実施形態では、ロック位置と解除位置との間において作動端部６，７の調整方向に延びている第３の境界縁部１８で、整列した工具用開口部１４の１つがラックアンドピニオン駆動部の歯部を有する、ということを提供している。第３の境界縁部１８に対向する第４の境界壁１９が、当該第３の境界縁部１８から距離を置いて配置され、歯付きドライバー２０（図１および図２参照）用のカウンタ軸受部を形成しており、当該歯付きドライバーは、図１および図２に関してすでに説明されているように、例えばトルクスドライバーなどの複数の円形ドライバーを備えたスクリュードライバーであってもよい。
【００３２】
第２の作動端部７の工具用開口部１４は円形であり、かつ、上述の歯付きドライバーの外径に実質的に一致する内径を有しており、したがって当該工具用開口部１４が、この歯付きドライバー用のピボット軸受を形成している。
【００３３】
図６は、図４に示される実施形態の変形例において、差し込み式のナット３を示しており、当該差し込み式のナット３において、ねじ穴を有するナット５が圧入ナットとして形成され（原則として、全ての実施形態に当てはまる可能性がある）、当該ねじ穴を有するナット５が上部２１に圧入され、当該差し込み式のナット３において、第１および第２の作動端部６，７が、お互いに対して圧力が加えられていないこれらの作動端部の示されたロック位置でお互いに対して鋭角で延びており、第１および第２の作動端部６，７が、スクリュードライバー２７などを用いてお互いに対して調整することができるようにしており、当該スクリュードライバー２７などが工具挿入用開口部１５に挿入され、このスクリュードライバー２７が旋回動作をすることにより、これらの第１および第２の作動端部６，７が解放位置に移動し、それにより当該ねじ穴を有するナット５に予め負荷が加えられるようにしている。
【００３４】
図７および図８は本発明による締結用装置のさらなる実施形態を示しており、当該実施形態において、プロファイル部材の支柱１のお互いに垂直な２つのプロファイル部材側面部１３を用いて、差し込み式のナット３がそれぞれの開口部２を介して挿入され、当該差し込み式のナット３のねじ穴を有するナット５が、それぞれ他のプロファイル部材側面部における追加の開口部１８を用いて利用可能になるようにしており、例えば本願の場合において、スイッチギアキャビネットの内部設置用の取付シャーシとして設計された内部部品２６に、スイッチギアの部品を固定している。この取付シャーシ２６は、その両端に取付フランジ２５を有しており（一端のみが示される）、例えば取付シャーシ２６をスイッチキャビネットのフレームに固定するために、当該取付フランジ２５を使用できる。
【００３５】
この内部部品は特定のタイプに限定されない一方で、規則的に間隔を空けられた開口部のシステム穿孔（system perforation）を備えた少なくとも１つの取付面を適切に有し、当該開口部において、差し込み式のナット３が取付けられる。さらに、この内部部品がシステム穿孔を備えたさらなる取付面を適切に有し、当該さらなる取付面は、最初に述べた取付面に対して垂直に延びている。当該さらなる取り付け面における開口部は、これらの開口部を用いて部品固定用のケージナットを利用できるように提供される。
【００３６】
上述の説明、図面および特許請求の範囲に開示された本発明の特徴は、本発明の実施のために、単独または任意の組み合わせで必須であり得る。
【符号の説明】
【００３７】
１  プロファイル部材の支柱
２  開口部
２．１  縁部
３  差し込み式のナット
４  留め金
５  ねじ穴を有するナット
６  第１の作動端部
７  第２の作動端部
８  レセプタクル
９  境界壁
１０  部分
１１  取っ手部
１２  外側面
１３  プロファイル部材側面部
１４  工具用開口部
１５  工具挿入用開口部
１６  第１の境界縁部
１７  第２の境界縁部
１８  第３の境界縁部
１９  第４の境界縁部
２０  歯付きドライバー
２１  上部
２２  下部
２３  接続部
２４  接触爪
２５  取付フランジ
２６  内部部品
２７  マイナスドライバー
２８  さらなる開口部
【図１】
0006942194.tif 000002
【図２】
0006942194.tif 000003
【図３】
0006942194.tif 000004
【図４】
0006942194.tif 000005
【図５】
0006942194.tif 000006
【図６】
0006942194.tif 000007
【図７】
0006942194.tif 000008
【図８】
0006942194.tif 000009